(57)【要約】【課題】ブロー成形された操縦塔が安価に得られるとともに強固に取り付けられる収穫機の運転部構造を提供する。【解決手段】操縦塔２０の下端側の取り付け部に、中空構造の載置取り付け部２６と、中空構造の締付け取り付け部２７とを内部が互いに連通した状態で備えてある。載置取り付け部２６は、運転部フレーム３０の上向き支持面３３に載置して支持させてある。締付け取り付け部２７は、運転部フレーム３０の前向き支持面３４に当て付けて取り付けボルトで締め付け連結してある。【選択図】　　　　図４
2004073085.tif 000002
【特許請求の範囲】
【請求項１】
ブロー成形された樹脂製の操縦塔が機体の運転部フレームの前端部に立設されている収穫機の運転部構造であって、
前記操縦塔の前記運転部フレームに支持されている取り付け部に、前記運転部フレームの機体上方向きの上向き支持面に載置して受け止め支持されている中空構造の載置取り付け部と、前記運転部フレームの機体前方向きの前向き支持面に当接して締め付け連結されている中空構造の締付け取り付け部とを、互いに内部が連通し合った状態に形成して備えてある収穫機の運転部構造。
【請求項２】
前記締付け取り付け部に、取り付けボルトが挿通しているコンプレッション部を備えてある請求項１記載の収穫機の運転部構造。
【請求項３】
前記載置取り付け部の前記上向き支持面に当接している下壁と、この下壁に連続している機体上下向きの縦壁とにわたって形成し、かつ、前記下壁と前記縦壁とによって形成される角部を除去した状態に形成した配線孔を備えてある請求項１又は２記載の収穫機の運転部構造。
【発明の詳細な説明】
【０００１】
【発明の属する技術分野】
本発明は、ブロー成形された樹脂製の操縦塔が機体の運転部フレームの前端部に立設されている収穫機の運転部構造に関する。
【０００２】
【従来の技術】
上記収穫機において、従来、たとえば特開２００２−３７１３９号公報に示されるように、操縦塔の下端側に、中空構造の載置取り付け部と、この載置取り付け部の複数箇所から延出した舌片とを設け、載置取り付け部を運転部フレームの上向き支持面に載置して支持させ、舌片を運転部フレームの前向き面に取り付けボルトによって締め付け連結することにより、操縦塔の下端側を運転部フレームに支持させる取り付け構造を採用していた。
【０００３】
【発明が解決しようとする課題】
上記した従来の取り付け構造を採用した場合、載置取り付け部から延出する複数の舌片のために成形金型の構造が複雑になり、成形金型の面から製作費が高くなっていた。また、舌片の数を多くすることによって操縦塔の取り付けを所望強度にせねばならず、この面からも成形金型の構造が複雑になって製作費が高くなっていた。また、締め付け連結に多くの手間が掛かる問題が発生していた。
【０００４】
本発明の目的は、操縦塔を強固に支持させることができながら安価にかつ組み立て容易に得られる収穫機の運転部構造を提供することにある。
【０００５】
【課題を解決するための手段】
請求項１による発明の構成、作用、効果はつぎのとおりである。
【０００６】
〔構成〕
ブロー成形された樹脂製の操縦塔が機体の運転部フレームの前端部に立設されている収穫機の運転部構造において、前記操縦塔の前記運転部フレームに支持されている取り付け部に、前記運転部フレームの機体上方向きの上向き支持面に載置して受け止め支持されている中空構造の載置取り付け部と、前記運転部フレームの機体前方向きの前向き支持面に当接して締め付け連結されている中空構造の締付け取り付け部とを、互いに内部が連通し合った状態に形成して備えてある。
【０００７】
〔作用〕
操縦塔の前記取り付け部に、互いに内部が連通し合った中空構造の載置取り付け部と、中空構造の締付け取り付け部とを備えてあるものだから、構造簡単な成形金型を使用して操縦塔を作製しながら、さらに、締め付け取り付け部に中空構造のために優れた強度を備えさせて、その分、締め付け箇所の数を少なく済ませるとともに必要な締め付け手間を少なく済ませながら操縦塔を運転部フレームに強固に締め付け連結できる。
【０００８】
〔効果〕
従って、締め付け取り付け部に優れた強度を備えさせて操縦塔を所望強度で強固に取り付けることができる。その割には、構造簡単な成形金型によって安価に作製してコストダウンでき、さらに、少ない締め付け手間で能率よく組み立てできる。
【０００９】
請求項２による発明の構成、作用、効果はつぎのとおりである。
【００１０】
〔構成〕
請求項１による発明の構成において、前記締付け取り付け部に、取り付けボルトが挿通しているコンプレッション部を備えてある。
【００１１】
〔作用〕
取り付けボルトがコンプレッション部を挿通して締付け取り付け部を運転部フレームに締め付け連結するものだから、締め付け力を強くしても締付け取り付け部が変形しにくく、締め付け連結を強固に行なえる。
【００１２】
〔効果〕
従って、締付け取り付け部の運転部フレームに対する締め付けを一層強固に行い、操縦塔の取り付けが一層強固に行なえる。
【００１３】
請求項３による発明の構成、作用、効果はつぎのとおりである。
【００１４】
〔構成〕
請求項１又は２による発明の構成において、前記載置取り付け部の前記上向き支持面に当接している下壁と、この下壁に連続している機体上下向きの縦壁とにわたって形成し、かつ、前記下壁と前記縦壁とによって形成される角部を除去した状態に形成した配線孔を備えてある。
【００１５】
〔作用〕
載置取り付け部に配線孔を備えさせるのに、下壁と縦壁とにわたって形成し、かつ、下壁と縦壁とによって形成される角部を除去した状態に形成して備えてあるものだから、下壁又は縦壁のみを貫通する状態に形成して備えるに比し、下壁及び縦壁にできる貫通孔の大きさが小さくなって下壁及び縦壁の貫通孔に起因する強度低下を抑制しながら必要な大きさの配線孔を備えさせられる。
【００１６】
〔効果〕
従って、配線孔を大きくして太いとか数多い配線でも容易に挿通させて能率よく配線作業できる。その割には、下壁及び縦壁の強度低下を抑制して操縦塔を強固な状態に維持できる。
【００１７】
【発明の実施の形態】
図１、図２に示すように、左右一対のクローラ式走行装置１によって自走し、かつ、運転座席２ａが装備された搭乗型の運転部２、運転座席２ａの下方に位置するエンジン３が装備された原動部を備えた機体の機体フレーム４の運転部２の横側に、植立穀稈を引き起こし処理するとともに刈取り処理する刈取り部５を昇降操作自在に連結し、この刈取り部５からの刈取穀稈を脱穀処理する脱穀装置６、この脱穀装置６からの脱穀粒を貯留する穀粒タンク７を前記機体フレーム４に搭載するとともに、穀粒タンク７に貯留された脱穀粒をスクリューコンベアで成る搬出装置８によって取り出すように構成して、稲・麦などを収穫するコンバインを構成してある。
【００１８】
図１、図２などに示すように、前記運転部２の運転座席２ａの前方に、操向レバー１１及びバー形固定ハンドル１２が上部に装備されている操縦塔２０を、自走機体の運転部フレーム３０の前端部に立設した状態で設けてある。運転部２の刈取り部５が位置する方の横側にサイドパネル１３を設けてある。
【００１９】
操向レバー１１は、機体横方向に揺動操作することにより、エンジン３の駆動力を左右の走行装置１に伝達する変速装置（図示せず）を操作して左右走行装置１の間に駆動速度差を発生させ、機体を操向レバー１１の操作方向に等しい方向に向き変更して走行するように操向操作するものである。
【００２０】
操縦塔２０は、図４、図５などに示す如く樹脂材をブロー成形するとともに前記固定ハンドル１２も同時にブロー成形することにより、固定ハンドル１２が一体部品になっているとともに内部２１が中空になっている中空構造の樹脂製に作製してある。この操縦塔２０は、操縦塔２０をブロー成形する際に操縦塔２０の裏壁２２に同時にブロー成形して設けた取り付け溝２３と、操縦塔２０をブロー成形する際に操縦塔２０の下端側に同時にブロー成形して設けた取り付け部２４とによって運転部フレーム３０に取り付けてある。
【００２１】
すなわち図３、図６などに示すように、運転部フレーム３０の左右のメインフレーム３１の前端部どうしを連結している連結フレーム３２の上面により、操縦塔２０の前記取り付け部２４を支持させるための機体上方向きの上向き支持面３３を構成し、前記連結フレーム３２の機体前方向きの側面により、操縦塔２０の前記取り付け部２４を支持させるための機体前方向きの前向き支持面３４を構成してある。前記連結フレーム３２の機体横外側の端部に一端側が連結されているとともに一端側が機体上下方向に沿った縦向きになり、他端側が機体横方向に沿った横向きになるように屈曲している鋼管によって、操縦塔支持杆３５を構成してある。
【００２２】
図４、図５、図９などに示すように、操縦塔２０の前記取り付け部２４に、操縦塔２０の裏壁２２に上端側が連続している機体上下向きの縦壁２６ａを備えた載置取り付け部２６と、操縦塔２０の表壁２５の下端側に上端側が連続している前壁２７ａを備えた締付け取り付け部２７とを備えてある
【００２３】
載置取り付け部２６は、前記縦壁２６ａ、及び、この縦壁２６ａの下端に後端が連続している下壁２６ｂを備えて構成してあり、かつ、操縦塔２０をブロー成形する際に同時にブロー成形することによって作製してあって、中空構造になっている。
【００２４】
締め付け取り付け部２７は、前記前壁２７ａ、及び、この前壁２７ａの下端部に下端側が、上端側が前記下壁２６ｂの前端部にそれぞれ連続している後壁２７ｂを備えて構成してあり、かつ、操縦塔２０及び載置取り付け部２６をブロー成形する際に同時にブロー成形することによって作製してあって、前記載置取り付け部２６と内部どうしが連通した中空構造になっている。この締付け取り付け部２７の機体横方向に並ぶ２箇所に、締付け取り付け部２７をブロー成形する際に前壁２７ａと後壁２７ｂの一部どうしが連結し合うように成形した図８の如きコンプレッション部２７ｃを設けてある。
【００２５】
図４、図６（ロ）に示すように、前記載置取り付け部２６の下壁２６ｂを運転部フレーム３０の前記上向き支持面３３に載置して、この上向き支持面３３によって載置取り付け部２６を受け止め支持させてある。これとともに、図８に示すように、前記締め付け取り付け部２７の前記２箇所のコンプレション部２７ｃを各別に挿通させて連結フレーム３２に装着した２本の取り付けボルト２８によって、締付け取り付け部２７を運転部フレーム３０の前記前向き支持面３４に対して後壁２７ａで当接させるとともに締付け連結してある。
【００２６】
図５に示すように、操縦塔２０の前記取り付け溝２３を、一端側が操縦塔２０の横一端側で操縦塔２０の上下方向に沿っている縦溝になり、他端側が操縦塔２０の上端側で操縦塔２０の横方向に沿っている横溝になった屈曲溝に形成してある。図４、図５、図７に示すように、前記操縦塔支持杆３５の前記縦向き部分３５ａが取り付け溝２３の縦溝部分に、前記操縦塔支持杆３５の横向き部分３５ｂが取り付け溝２３の横溝部分にそれぞれ入り込むようにし、操縦塔２０の上端部の裏面側に当て付けて複数本の連結ボルト３７ａによって固定した取り付け板金３７と操縦塔２０とによる操縦塔支持杆３５の挟持によって、操縦塔２０を操縦塔支持杆３５に固定してある。
【００２７】
図９に示すように、操縦塔２０の前面側に、前記操向レバー１１を変速装置の操作部に連係させる操作ケーブル（図示せず）などの連係部材を収容し、かつ、この連係部材などを覆う化粧カバー５０を組み付ける凹入部４０、前記操作ケーブルが挿通するケーブル孔４１、前記化粧カバー５０の周部を受け止め支持する段部４２のそれぞれを、操縦塔２０のブロー成形の際に同時にブロー成形して設けてある。
【００２８】
図９に示すように、操縦塔２０の機体内方側の横側部に、操縦塔２０と前記サイドパネル１３との間を覆う防塵カバー部４３を設けてある。
この防塵カバー部４３は、操縦塔２０のブロー成形の際に同時にブロー成形してあり、中空構造になっている。図３、図５などに示すように、この防塵カバー部４３の前壁４３ａが操縦塔２０の表壁２５より機体後方側に引退し、防塵カバー部４３の後壁４３ｂが操縦塔２０の裏壁２２より後方に突出している状態に形成してある。防塵カバー部４３の後壁４３ａは、下端側ほど操縦塔２０の裏壁２２から後方に大きく突出している傾斜壁に形成してある。
【００２９】
つまり、刈取り部５の機体横方向に並んでいる複数の引起装置５ａのうち、運転部２に隣接している引起装置５ａの横側に、図１０、図１１の如き防音カバー５１を装着してある。この防音カバー５１は、引き起こし爪の移動に伴って発生するなどの駆動音の伝達を抑制するものである。刈取り部５を持ち上げ操作した際、防音カバー５１の下端側が操縦塔２０の横側に入り込んでくるが、防塵カバー部４３の前記引退形状のために、防音カバー５１と防塵カバー部４３との緩衝を回避しながら刈取り部５を上昇させられるようにしてある。
【００３０】
図１０、図１１に示すように、前記防音カバー５１の下端側が、刈取り部５の分草フレームに支持されている丸棒材で成る支持部５２に係止して支持され、防音カバー５１の上端側が防音カバー５１に付設してある取り付けネジ５３によって引き起装置５ａのフレームに止着されており、これにより、防音カバー５１は引起装置５ａに対して着脱自在に付いている。
【００３１】
図５などに示すように、操縦塔２０の前記載置取り付け部２７に配線孔４４を設けてある。この配線孔４４は、前記化粧カバー５０が支持している前照灯５４などのための電線を操縦塔２０の内部から引き出し、連結フレーム３２の配線孔３２ａを通して配線するためのものであり、図８などに示す如く形成してある。すなわち、配線孔４４は、載置取り付け部２６の前記下壁２６ｂと前記縦壁２６ａとにわたって形成し、かつ、その下壁２６ｂと縦壁２６ａとによって形成されている角部を除去した状態に形成してある。つまり、配線孔４４の大きさの割には、下壁２６ｂ及び縦壁２６ａにできる孔が小さくなるようにしながら配線孔４４を設けてある。
【００３２】
〔別実施形態〕
本発明は、コンバインの他、玉ねぎ、人参、藺草など、稲・麦以外の作物を収穫対象とする収穫車輌にも適用できるのであり、これら、コンバイン、収穫車輌などを総称して収穫機と呼称する。
【図面の簡単な説明】
【図１】コンバイン全体の側面図
【図２】コンバイン全体の平面図
【図３】操縦塔配設部の斜視図
【図４】操縦塔取り付け構造の側面図
【図５】（イ）は、操縦塔の後面側を示す斜視図、（ロ）は、操縦塔の後面図
【図６】（イ）は、操縦塔の取り付け部を示す断面図、（ロ）は、操縦塔の取り付け状態を示す断面図
【図７】操縦塔の操縦塔支持杆に対する装着構造を示す断面図
【図８】操縦塔の配線孔及び連結構造を示す断面図
【図９】操縦塔の表面側及び化粧板の斜視図
【図１０】防塵カバーの側面図
【図１１】防塵カバーの斜視図
【符号の説明】
２０　　　　　操縦塔
２４　　　　　取り付け部
２６　　　　　載置取り付け部
２６ａ　　　　載置取り付け部の縦壁
２６ｂ　　　　載置取り付け部の下壁
２７　　　　　締め付け取り付け部
２７ｃ　　　　コンプレッション部
２８　　　　　取り付けボルト
３０　　　　　運転部フレーム
３３　　　　　上向き支持面
３４　　　　　前向き支持面
４４　　　　　配線孔
【図１】
2004073085.tif 000003
【図２】
2004073085.tif 000004
【図３】
2004073085.tif 000005
【図４】
2004073085.tif 000006
【図５】
2004073085.tif 000007
【図６】
2004073085.tif 000008
【図７】
2004073085.tif 000009
【図８】
2004073085.tif 000010
【図９】
2004073085.tif 000011
【図１０】
2004073085.tif 000012
【図１１】
2004073085.tif 000013